(57)【要約】【課題】記入欄に記入した記入内容を確実に隠蔽することができる隠蔽はがきを提供する。【解決手段】隠蔽はがき１０は、はがき部１１と、はがき部１１に貼り合わされ、記入欄１２ａを有する記入シート１２と、はがき部１１に連接され、記入欄１２ａを隠蔽する隠蔽部１３と、隠蔽部１３上に設けられ、記入シート１２と隠蔽部１３とを再剥離再貼付可能に粘着する再粘着再剥離糊１４と、再粘着再剥離糊１４上に設けられ、再粘着再剥離糊１４を保護する剥離シート１５とを備え、はがき部１１は、記入欄１２ａに対応する部分に、記入欄１２ａの透けを防止する第１の透け防止層１７を備え、隠蔽部１３は、記入欄１２ａに対応する部分に、記入欄１２ａの透けを防止する第２の透け防止層１８を備え、再剥離再貼付粘着剤層は、第２の透け防止層がある部分だけ粘着力を高めていることを特徴とする。【選択図】図１
2013047012.tif 000002
【特許請求の範囲】
【請求項１】
はがき部と、
前記はがき部に貼り合わされ、記入欄を有する記入シートと、
前記はがき部に連接され、前記記入欄を隠蔽する隠蔽部と、
前記隠蔽部上に設けられ、前記記入シートと前記隠蔽部とを再剥離再貼付可能に粘着する再剥離再貼付粘着剤層と、
前記再剥離再貼付粘着剤層上に設けられ、前記再剥離再貼付粘着剤層を保護する剥離シートとを備え、
前記はがき部は、前記記入欄に対応する部分に、前記記入欄の透けを防止する第１の透け防止層を備え、
前記隠蔽部は、前記記入欄に対応する部分に、前記記入欄の透けを防止する第２の透け防止層を備え、
前記再剥離再貼付粘着剤層は、前記第２の透け防止層がある部分だけ粘着力を高めていること、
を特徴とする隠蔽はがき。
【請求項２】
請求項１に記載の隠蔽はがきにおいて、
前記記入シートは、前記記入欄に対応する部分に、前記記入欄の透けを防止する第３の透け防止層を備えること、
を特徴とする隠蔽はがき。
【請求項３】
請求項１又は請求項２に記載の隠蔽はがきにおいて、
前記再剥離再貼付粘着剤層と前記剥離シートとの間に保護層を備えること、
を特徴とする隠蔽はがき。
【請求項４】
請求項１から請求項３までのいずれか１項に記載の隠蔽はがきにおいて、
前記各透け防止層は、全ベタ印刷層、絵柄印刷層、地紋印刷層のうち少なくとも１つを含む層であること、
を特徴とする隠蔽はがき。
【請求項５】
請求項１から請求項４までのいずれか１項に記載の隠蔽はがきにおいて、
前記第１の透け防止層は、前記はがき部と前記記入シートとの間に設けられていること、
を特徴とする隠蔽はがき。
【請求項６】
請求項１から請求項５までのいずれか１項に記載の隠蔽はがきにおいて、
前記第２の透け防止層は、前記隠蔽部と前記剥離シートとの間に設けられていること、
を特徴とする隠蔽はがき。
【請求項７】
請求項２から請求項６までのいずれか１項に記載の隠蔽はがきにおいて、
前記第３の透け防止層は、前記はがき部と前記記入シートとの間に設けられていること、
を特徴とする隠蔽はがき。
【発明の詳細な説明】
【技術分野】
【０００１】
本発明は、隠蔽はがきに関するものである。
【背景技術】
【０００２】
従来、隠蔽はがきは、記入欄に記入する個人情報やアンケート内容などの記入内容を隠す目的で使用されている（例えば、特許文献１）。
また、記入欄に記入した文字が透けることを防止するために、地紋印刷などを行うこともある。
しかし、これらの方法では、ある程度は記入内容を隠蔽できるが、記入内容を故意に見ようとすれば、ライトのような強い光を当てるなどして、記入内容が見えてしまう恐れがあった。
【先行技術文献】
【特許文献】
【０００３】
【特許文献１】特開２００７−２７６１４３号公報
【発明の概要】
【発明が解決しようとする課題】
【０００４】
本発明の課題は、記入欄に記入した記入内容を確実に隠蔽することができる隠蔽はがきを提供することである。
【課題を解決するための手段】
【０００５】
本発明は、以下のような解決手段により、前記課題を解決する。なお、理解を容易にするために、本発明の実施形態に対応する符号を付して説明するが、これに限定されるものではない。
請求項１の発明は、はがき部（１１）と、前記はがき部（１１）に貼り合わされ、記入欄（１２ａ）を有する記入シート（１２）と、前記はがき部（１１）に連接され、前記記入欄（１２ａ）を隠蔽する隠蔽部（１３）と、前記隠蔽部（１３）上に設けられ、前記記入シート（１２）と前記隠蔽部（１３）とを再剥離再貼付可能に粘着する再剥離再貼付粘着剤層（１４）と、前記再剥離再貼付粘着剤層（１４）上に設けられ、前記再剥離再貼付粘着剤層（１４）を保護する剥離シート（１５）とを備え、前記はがき部（１１）は、前記記入欄（１２ａ）に対応する部分に、前記記入欄（１２ａ）の透けを防止する第１の透け防止層（１７）を備え、前記隠蔽部（１３）は、前記記入欄（１２ａ）に対応する部分に、前記記入欄（１２ａ）の透けを防止する第２の透け防止層（１８）を備え、前記再剥離再貼付粘着剤層は、前記第２の透け防止層がある部分だけ粘着力を高めていること、を特徴とする隠蔽はがき（１０，１０−２）である。
請求項２の発明は、請求項１に記載の隠蔽はがき（１０−２）において、前記記入シート（１２）は、前記記入欄（１２ａ）に対応する部分に、前記記入欄（１２ａ）の透けを防止する第３の透け防止層（２０）を備えること、を特徴とする隠蔽はがき（１０−２）である。
請求項３の発明は、請求項１又は請求項２に記載の隠蔽はがきにおいて、前記再剥離再貼付粘着剤層と前記剥離シートとの間に保護層を備えること、を特徴とする隠蔽はがきである。
請求項４の発明は、請求項１から請求項３までのいずれか１項に記載の隠蔽はがき（１０，１０−２）において、前記各透け防止層（１７，１８，２０）は、全ベタ印刷層、絵柄印刷層、地紋印刷層のうち少なくとも１つを含む層であること、を特徴とする隠蔽はがき（１０，１０−２）である。
請求項５の発明は、請求項１から請求項４までのいずれか１項に記載の隠蔽はがき（１０，１０−２）において、前記第１の透け防止層（１７）は、前記はがき部（１１）と前記記入シート（１２）との間に設けられていること、を特徴とする隠蔽はがき（１０，１０−２）である。
請求項６の発明は、請求項１から請求項５までのいずれか１項に記載の隠蔽はがき（１０，１０−２）において、前記第２の透け防止層（１８）は、前記隠蔽部（１３）と前記剥離シート（１５）との間に設けられていること、を特徴とする隠蔽はがき（１０，１０−２）である。
請求項７の発明は、請求項２から請求項６までのいずれか１項に記載の隠蔽はがき（１０−２）において、前記第３の透け防止層（２０）は、前記はがき部（１１）と前記記入シート（１２）との間に設けられていること、を特徴とする隠蔽はがき（１０−２）である。
【発明の効果】
【０００６】
本発明によれば、以下のような効果がある。
（１）はがき部の第１の透け防止層と、隠蔽部の第２の透け防止層とによって、記入欄を両側から挟みこんで隠蔽することができ、記入欄に記入した記入内容を確実に隠蔽することができる。
（２）記入シートの第３の透け防止層によって、隠蔽効果をより向上させることができる。
（３）各透け防止層は、全ベタ印刷層、絵柄印刷層、地紋印刷層のうち少なくとも１つを含む層であるので、印刷によって簡単に各透け防止層を形成することができる。
【０００７】
（４）第１の透け防止層は、はがき部と記入シートとの間に設けられているので、第１の透け防止層の存在を隠しつつ、はがき部や記入シートの他の領域を有効利用することができる。
（５）第２の透け防止層は、隠蔽部と剥離シートとの間に設けられているので、使用時までは第２の透け防止層の存在を隠しつつ、隠蔽部や剥離シートの他の領域を有効利用することができる。
（６）第３の透け防止層は、はがき部と記入シートとの間に設けられているので、第３の透け防止層の存在を隠しつつ、はがき部や記入シートの他の領域を有効利用することができる。また、第１の透け防止層と第３の透け防止層とが重なるので、隠蔽効果を向上させることができる。
【図面の簡単な説明】
【０００８】
【図１】本発明による隠蔽はがきの第１実施形態を示す図である。
【図２】本発明による隠蔽はがきの第２実施形態を示す図である。
【発明を実施するための形態】
【０００９】
以下、図面等を参照して、本発明の実施形態について、さらに詳しく説明する。
（第１実施形態）
図１は、本発明による隠蔽はがきの第１実施形態を示す図であって、図１（Ａ）は、平面図であり、図１（Ｂ）は、Ｂ−Ｂ断面図である。
第１実施形態の隠蔽はがき１０は、２つ折りのはがきタイプのものであり、はがき部１１と、記入シート１２と、隠蔽部１３と、再粘着再剥離糊（再剥離再貼付粘着剤層）１４と、剥離シート１５と、保護層１６と、第１の透け防止層１７と、第２の透け防止層１８と、印刷層１９などとを備える。
また、隠蔽はがき１０は、３つの用紙から構成されており、記入シート１２は、１枚目の用紙であり、剥離シート１５は、２枚目の用紙であり、はがき部１１と隠蔽部１３とは、３枚目の用紙である。
１枚目及び３枚目の用紙は、連量が５５Ｋｇの上質紙や、連量が５５ｋｇ以上のコート紙により形成されている。２枚目の用紙は、連量が４５Ｋｇの上質紙や、連量が５５ｋｇ以上のコート紙により形成されている。
【００１０】
はがき部１１は、はがきの本体となる部分であり、図中の裏面側に宛名欄を備える。
記入シート１２は、強接着糊ｓによってはがき部１１に剥離不可能に貼り合わされ、表面側にアンケート，住所，氏名，電話番号などを記入する記入欄１２ａを備える。
また、はがき部１１と記入シート１２とによって、はがき本体部を構成しており、この部分は、２〜６ｇになるように構成してある。
【００１１】
隠蔽部１３は、ミシン目ｍを介してはがき部１１に連接され、使用時に、記入シート１２の記入欄１２ａを隠蔽する部分である。
再粘着再剥離糊１４は、隠蔽部１３上に設けられ、記入シート１２と隠蔽部１３とを再剥離再貼付可能に粘着する糊である。
再粘着再剥離糊１４は、第２の透け防止層１８が無い場合と同様の粘着力を持たせるように塗布条件を調整する必要がある。これは、第２の透け防止層１８がある分だけ、粘着力が弱まるからである。再粘着再剥離糊１４は、主に糊の成分と水の成分とで構成されているので、例えば、水の成分を減らすことによって、粘着力を高めることができる。
【００１２】
剥離シート１５は、再粘着再剥離糊１４上に設けられ、使用時まで再粘着再剥離糊１４を保護するシートである。
保護層１６は、再粘着再剥離糊１４と剥離シート１５との間に設けられ、再粘着再剥離糊１４の糊残りを防止するための層である。
【００１３】
第１の透け防止層１７は、はがき部１１と記入シート１２との間であって、はがき部１１の略全面に設けられ、記入欄１２ａの透けを防止する印刷層である。
第２の透け防止層１８は、隠蔽部１３と剥離シート１５との間であって、記入欄１２ａの住所欄，氏名欄，電話番号欄に対応する部分に設けられ、記入欄１２ａの透けを防止する印刷層である。
また、各透け防止層は、全ベタ印刷層、絵柄印刷層、地紋印刷層、濃い色の印刷層のうち少なくとも１つを含む層によって形成されている。
印刷層１９は、この隠蔽はがき１０の表面と裏面とに設けられ、絵柄や文字などを表示している層である。
【００１４】
次に、隠蔽はがき１０の使用方法について説明する。
まず、記入欄１２ａに必要事項を記入する。
ついで、剥離シート１５を剥がし、再粘着再剥離糊１４を表出させる。
さらに、ミシン目ｍで隠蔽はがき１０を２つ折りし、再粘着再剥離糊１４によって隠蔽部１３を記入シート１２上に貼り付け、記入欄１２ａを隠蔽する。
最後に、はがきとして投函する。
【００１５】
このように、第１実施形態によれば、以下のような効果がある。
（１）はがき部１１の第１の透け防止層１７と、隠蔽部１３の第２の透け防止層１８とによって、記入欄１２ａを両側から挟みこんで隠蔽することができ、記入欄１２ａに記入した記入内容を確実に隠蔽することができる。
（２）各透け防止層は、全ベタ印刷層、絵柄印刷層、地紋印刷層、濃い色の印刷層のうち少なくとも１つを含む層であるので、印刷によって簡単に各透け防止層を形成することができる。
（３）第１の透け防止層１７は、はがき部１１と記入シート１２との間に設けられているので、第１の透け防止層１７の存在を隠しつつ、はがき部１１の裏面や記入シート１２の表裏面を有効利用することができる。
（４）第２の透け防止層１８は、隠蔽部１３と剥離シート１５との間に設けられているので、使用時までは第２の透け防止層１８の存在を隠しつつ、隠蔽部１３の裏面や剥離シート１５の表裏面を有効利用することができる。
【００１６】
（第２実施形態）
図２は、本発明による隠蔽はがきの第２実施形態を示す図であって、図２（Ａ）は、平面図であり、図２（Ｂ）は、Ｂ−Ｂ断面図である。
なお、前述した第１実施形態と同様な機能を果たす部分には、同一の符号を付して、重複する説明や図面を適宜省略する。
第２実施形態の隠蔽はがき１０−２は、第１及び第２の透け防止層１７，１８に加えて、第３の透け防止層２０が設けられているものである。
第３の透け防止層２０は、はがき部１１と記入シート１２との間であって、記入シート１２の記入欄１２ａに対応する部分に設けられ、記入欄１２ａの透けを防止する印刷層である。なお、第３の透け防止層２０の材質は、第１及び第２の透け防止層１７，１８と同様である。
【００１７】
このように、第２実施形態によれば、記入シート１２の第３の透け防止層２０によって、隠蔽効果をより向上させることができる。
また、第３の透け防止層２０は、はがき部１１と記入シート１２との間に設けられているので、第３の透け防止層２０の存在を隠しつつ、はがき部１１の裏面や記入シート１２の表面を有効利用することができる。
さらに、第１の透け防止層１７と第３の透け防止層２０とが重なるので、隠蔽効果を向上させることができる。
【００１８】
（変形形態）
以上説明した実施形態に限定されることなく、種々の変形や変更が可能であって、それらも本発明の範囲内である。
（１）第１の透け防止層１７は、はがき部１１の略全面に設ける例で説明したが、記入欄１２ａに対応する部分だけに設けてもよい。このようにすれば、製造コストを抑えることができる。
（２）第１の透け防止層１７は、記入欄１２ａの住所欄，氏名欄，電話番号欄に対応する部分に設ける例で説明したが、記入欄１２ａのアンケート欄に対応する部分に設けてもよい。
（３）第２の透け防止層１８は、記入欄１２ａに対応する部分に設ける例で説明したが、隠蔽部１３の略全面に設けてもよい。このようにすれば、隠蔽効果をより向上させることができる。
なお、上述した実施形態及び変形形態は、適宜組み合わせて用いることもできるが、詳細な説明は省略する。また、本発明は、以上説明した実施形態や変形形態によって限定されることはない。
【符号の説明】
【００１９】
１０，１０−２  隠蔽はがき
１１  はがき部
１２  記入シート
１２ａ  記入欄
１３  隠蔽部
１４  再粘着再剥離糊（再剥離再貼付粘着剤層）
１５  剥離シート
１６  保護層
１７  第１の透け防止層
１８  第２の透け防止層
１９  印刷層
２０  第３の透け防止層
ｍ  ミシン目
ｓ  強接着糊
【図１】
2013047012.tif 000003
【図２】
2013047012.tif 000004